(57)【特許請求の範囲】
【請求項１】
電気掃除機などの吸引装置に接続される連結管と、前記連結管の先端部に枢支され吸込口面が前記連結管の軸線に対して所定の角度になる使用状態の位置と連結管の軸線に対して略直角になる収納状態の位置との間を回動自在に構成された吸込部材と、前記吸込部材を吸込口面が連結管の軸線に対して所定の角度になる方向に附勢する附勢手段と、前記連結管に構成した前記吸込部材配設側に接続管を係合自在に係合する操作機構と、前記操作機構に形成した前記吸込部材と係合する係合手段と、前記操作機構に連動すると共に使用状態の位置に回動した前記吸込部材が収納状態側に戻るのを防止する収納防止手段とを備え、前記係合手段で前記吸込部材を収納位置に保持すると共に、前記操作機構による前記連結管と前記接続管との接続の解除と連動して前記係合手段と前記吸込部材との係合が解除され、前記吸込部材が所定の角度に回動し保持されることを特徴とする吸込具。
【請求項２】
連結管と接続管との係合を解除する解除手段操作部を有したことを特徴とする請求項１記載の吸込具。
【請求項３】
吸込部材の吸込口先端部にブラシ・起毛布などの清掃用軟質材を配設したことを特徴とする請求項１または２に記載の吸込具。
【請求項４】
吸込部材の吸込口先端部に配設した清掃用軟質材は吸込部材の収納状態で連結管の先端部より一部が突出するように配設したことを特徴とする請求項３記載の吸込具。
【請求項５】
吸込部材の吸気口先端部に配設した清掃用軟質材は吸込具に回動力を与える附勢手段の弾性力と略同一以上の弾性力を有したことを特徴とする請求項３または４に記載の吸込具。
【請求項６】
所定の角度を約３０°とし、収納防止手段は、連結管の軸線に対する吸込口面の角度が約６０°以上にならないように吸込部材の位置規制を行うことを特徴とする請求項１〜５のいずれか１項に記載の吸込具。
【請求項７】
連結管の軸線に対する吸込部材の吸込口面の角度が収納位置から所定の角度になる位置までの回動範囲内に前記吸込口面と連結管に設けた使用時に握る把手の軸線が略並行になる位置を設定したことを特徴とする請求項１〜６のいずれか１項に記載の吸込具。
【請求項８】
吸込部材の吸込口面が連結管の軸線に対して所定の角度になる位置の状態で吸込部材と連結管の先端部との間に発生する隙間を覆うカバー体を配設したことを特徴とする請求項１〜７のいずれか１項に記載の吸込具。
【請求項９】
カバー体を吸込部材の回動中心と略同軸で、かつ、吸込部材の回動と連動して回動自在に配設したことを特徴とする請求項８記載の吸込具。
【請求項１０】
吸込部材が収納状態の時に、前記吸込部材を収納する収納カバー体を連結管の先端部に配設したことを特徴とする請求項１〜９のいずれか１項に記載の吸込具。
【請求項１１】
収納カバー体の入り口先端部にエラストマー、ゴム、塩化ビニル、起毛布などの軟質材を配設したことを特徴とする請求項１０記載の吸込具。
【請求項１２】
収納カバー体の入り口先端部に配設した軟質材は、連結管の先端部より少し突出して配設したことを特徴とする請求項１１記載の吸込具。
【請求項１３】
収納カバー体は左右に分割された部材と操作機構を覆う操作機構カバー体とで構成され、左右の部材の固定手段として少なくとも操作機構カバー体の取付け部側は操作機構カバー体を左右部材とリブなどで結合させることにより、左右部材を固定することを特徴とする請求項１１または１２に記載の吸込具。
【請求項１４】
連結管の後端部に、接続管あるいは連通管の先端に接続可能な被接続部を設けたことを特徴とする請求項１〜１３のいずれか１項に記載の吸込具。
【請求項１５】
吸引力を発生する電動送風機と前記電動送風機の吸気上流に配設され塵埃を捕集する集塵室を有する本体と、前記集塵室の吸気口部に接続される本体接続部を有する連通管などを有した電気掃除機本体に請求項１〜１４のいずれか１項に記載の吸込具を接続した電気掃除機。
【発明の詳細な説明】
【技術分野】
【０００１】
本発明は、電気掃除機などの吸引装置に接続されて使用する吸込具およびそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１、特許文献２、特許文献３、特許文献４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されており、吸込具の吸込口の角度が可動できる構成でも手で角度調整する必要があり、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、電気掃除機などの吸引装置に接続される連結管と、前記連結管の先端部に枢支され吸込口面が前記連結管の軸線に対して所定の角度になる使用状態の位置と連結管の軸線に対して略直角になる収納状態の位置との間を回動自在に構成された吸込部材と、前記吸込部材を吸込口面が連結管の軸線に対して所定の角度になる方向に附勢する附勢手段と、前記連結管に構成した前記吸込部材配設側に接続管を係合自在に係合する操作機構と、前記操作機構に形成した前記吸込部材と係合する係合手段と、前記操作機構に連動すると共に使用状態の位置に回動した前記吸込部材が収納状態側に戻るのを防止する収納防止手段とを備え、前記係合手段で前記吸込部材を収納位置に保持すると共に、前記操作機構による前記連結管と前記接続管との接続の解除と連動して前記係合手段と前記吸込部材との係合が解除され、前記吸込部材が所定の角度に回動し保持されることを特徴とする吸込具において、通常使用状態では、連結管と接続管を接続して使用し、吸込部材を操作機構の係合手段と係合して連結管の先端部の外郭上部近傍あるいは下部近傍に位置させて保持させて吸込部材を収納状態とし、操作機構を操作して連結管から接続管を取り外すと、同時に操作機構の係合部から吸込部材の被係合部が外れて吸込部材が弾性体の附勢力によって吸込口が連結管の軸線に対して所定の角度に位置するように吸込部材が回動して吸込具として直ぐ吸込具として塵埃の吸込みが行え、また、収納防止手段によって使用時における吸込部材の位置規制を行うことにより、被掃除面に吸込部材を押付けても吸込部材が収納されて連結管が突出することを防止して使い勝手が非常に良いものである。さらには、接続管を取付ける時には、操作機構を操作して連動した収納防止手段を解除させることによって吸込部材が収納状態側に移動が可能になり、吸込部材を連結管の外郭上部あるいは下部に位置する方向に回動させ、収納して接続管を取付ける。つまり、吸込具の使用状態、収納状態が延長管の着脱動作と連動及び使用動作の延長で行うことができ、吸込具に触れることなく、衛生的で使用性に優れた吸込具を提供することを目的とするものである。
【発明の効果】
【０００７】
本発明は吸込具の使用状態、収納状態の選択が延長管の着脱動作と使用動作の延長で行え、着脱動作が少なく、また、吸込具に触れることがないため、衛生的で使用性に優れた吸込具を提供することができる。
【０００８】
さらには、使用時における吸込具の吸込口の角度は、附勢手段による附勢力によって被掃除面側に附勢されているので、使用時の連結管の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるとともに収納防止手段によって吸込部材はある一定の角度にて収納側への位置規制が行えるため、操作性を悪化させることも無く、また収納防止手段の解除が操作手段の操作によって同時に行えることで操作性、集塵性能を大幅に向上させた吸込具を提供するものである。
【発明を実施するための最良の形態】
【０００９】
第１の発明は、電気掃除機などの吸引装置に接続される連結管と、前記連結管の先端部に枢支され吸込口面が前記連結管の軸線に対して所定の角度になる使用状態の位置と連結管の軸線に対して略直角になる収納状態の位置との間を回動自在に構成された吸込部材と、前記吸込部材を吸込口面が連結管の軸線に対して所定の角度になる方向に附勢する附勢手段と、前記連結管に構成した前記吸込部材配設側に接続管を係合自在に係合する操作機構と、前記操作機構に形成した前記吸込部材と係合する係合手段と、前記操作機構に連動すると共に使用状態の位置に回動した前記吸込部材が収納状態側に戻るのを防止する収納防止手段とを備え、前記係合手段で前記吸込部材を収納位置に保持すると共に、前記操作機構による前記連結管と前記接続管との接続の解除と連動して前記係合手段と前記吸込部材との係合が解除され、前記吸込部材が所定の角度に回動し保持されることを特徴とするもので、通常使用状態では、連結管と接続管を接続して使用し、吸込部材を操作機構の係合手段と係合して連結管の先端部の外郭上部近傍あるいは下部近傍に位置させて保持させて吸込部材を収納状態とし、操作機構を操作して連結管から接続管を取り外すと、同時に操作機構の係合部から吸込部材の被係合部が外れて吸込部材が弾性体の附勢力によって吸込口が連結管の軸線に対して所定の角度に位置するように吸込部材が回動して吸込具として直ぐ吸込具として塵埃の吸込みが行え、使い勝手が非常に良いものである。
【００１０】
また、接続管を取付ける時には、操作機構を操作して連動した収納防止手段を解除させることによって吸込部材が収納状態側に移動が可能になり、吸込部材を連結管の外郭上部あるいは下部に位置する方向に回動させ、収納して接続管を取付ける。つまり、吸込具の使用状態、収納状態が延長管の着脱動作と連動及び使用動作の延長で行うことができ、吸込具に触れることなく、衛生的で使用性に優れた吸込具を提供することを目的とするものである。
【００１１】
さらには、使用時における吸込具の吸込口の角度は、附勢手段による附勢力によって被掃除面側に附勢されているので、使用時の連結管の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるとともに吸込部材の収納防止手段によって吸込部材はある一定の角度にて収納側への位置規制が行えるため、操作性を悪化させることも無く、また収納防止手段の解除が操作手段の操作によって同時に行えることで操作性、集塵性能を大幅に向上させた吸込具を提供するものである。
【００１２】
第２の発明は、特に第１の発明において、連結管と接続管との係合を解除する解除手段操作部を有したことを特徴とするもので、吸込具を使用する時に操作機構の係合手段と吸込部材の被係合部との係合を解除する解除手段操作部を操作することによって、接続管から連結管が外れるとともに吸込部材の被係合部との係合が解除され、連結管の先端部に吸込部材が弾性体の附勢力によって吸込口が連結管の軸線に対して所定の角度に位置するように吸込部材が回動して吸込具として直ぐ吸込具として塵埃の吸込みが行え、使い勝手が非常に良いものである。
【００１３】
第３の発明は、特に第１又は２の発明において、吸込部材の吸込口先端部にブラシ・起毛布などの清掃用軟質材を配設したことを特徴とするもので、吸込部材による被掃除面への傷つきを防止するとともに被掃除面上の塵埃をブラシ・起毛布などの清掃用軟質材によって掻き出したり、拭いたりすることにより、更なる使用性の向上と集塵性能の向上が図れるものである。
【００１４】
第４の発明は、特に第３の発明において、吸込部材の吸込口先端部に配設した清掃用軟質材は吸込部材の収納状態で連結管の先端部より一部が突出するように配設したことを特徴とするもので、吸込部材を使用状態から床面側に押し付け過ぎた時や、誤って操作機構の係合手段と吸込部材の被係合部とが係合して、吸込部材が連結管の先端部の外郭上部近傍あるいは下部近傍に位置させて収納保持させてしまっても、被掃除面に直接連結管の先端部が当たるのを防止し、被掃除面への傷つきを防止するとともに連結管の先端部の損傷を防止できるものである。
【００１５】
第５の発明は、特に第３または４の発明において、吸込部材の吸気口先端部に配設した清掃用軟質材は吸込具に回動力を与える附勢手段の弾性力と略同一以上の弾性力を有したことを特徴とするもので、吸込部材を使用状態で押さえ付けると附勢手段の弾性力より軟質材の弾性力の方が同等もしくは大きいため、吸込部材が連結管側に回動して移動し、床面の角度に関係なく連結管の角度を変えなくても吸込具の吸気口が常に床面に常に密着することとなり、吸込み性を損なうこと無く、掃除性能の向上と使用性の向上が図れるものである。
【００１６】
第６の発明は、特に第１〜５のいずれか一つの発明において、所定の角度を約３０°とし、収納防止手段は、連結管の軸線に対する吸込口面の角度が約６０°以上にならないように吸込部材の位置規制を行うことを特徴とするもので、連結管に対して角度を持った床面から略水平な場所まで使用が可能となり、使用範囲が拡大するとともに使用者によって連通管を持って吸込部材を操作させ易い自然な角度に自由に設定が可能であるため、使い易くまた、被掃除面に吸込部材を押付けても約６０°の位置で吸込部材が収納状態側に移動しないように位置規制されることにより吸込部材収納状態側に移動しすぎることを防止してさらなる使用性の向上が図れるがものである。
【００１７】
第７の発明は、特に第１〜６のいずれか一つの発明において、連結管の軸線に対する吸込部材の吸込口面の角度が収納位置から所定の角度になる位置までの回動範囲内に前記吸込口面と連結管に設けた使用時に握る把手の軸線が略並行になる位置を設定したことを特徴とするもので、使用時に床面に対して把手部が並行となり、吸込具を操作させ易い自然な角度であるため、使用性の向上が図れるものである。
【００１８】
第８の発明は、特に第１〜７のいずれか一つの発明において、吸込部材の吸込口面が連結管の軸線に対して所定の角度になる位置の状態で吸込部材と連結管の先端部との間に発生する隙間を覆うカバー体を配設したことを特徴とするもので、吸込部材と連結管の先端部との間に発生する隙間からの吸気の漏れによる吸込力の低下を防止するとともに吸込具を大きくしなくて構成でき、吸込部材の回動角度を大きく設定することができるため、吸込具の小型化を図りながら、さらなる使用性の向上が図れるものである。
【００１９】
第９の発明は、特に第１〜８のいずれか一つの発明において、カバー体を吸込部材の回動中心と略同軸で、かつ、吸込部材の回動と連動して回動自在に配設したことを特徴とするもので、カバー体配設スペースを最小にして吸込具の小型・軽量化・簡素化が図れるものである。
【００２０】
第１０の発明は、特に第１〜９のいずれか一つの発明において、吸込部材が収納状態の時に、前記吸込部材を収納する収納カバー体を連結管の先端部に配設したことを特徴とするもので、吸込部材の収納状態で汚れた吸込口に手などが触れにくくなるため、さらに衛生的になるとともに吸込部材収納時における外観を向上させ、また、吸込部材をぶつけたりした時の損傷防止が行えるものである。
【００２１】
第１１の発明は、特に第１０の発明において、収納カバー体の入り口先端部にエラストマー、ゴム、塩化ビニル、起毛布などの軟質材を配設したことを特徴とするもので、収納カバー体をぶつけた時などの損傷防止が行えるとともに吸込部材を連結管の先端部の外郭上部あるいは下部近傍に位置させる方向に大きな力が加わっても、被掃除面に直接、収納カバー体の先端部が当たるのを防止し、被掃除面への傷つきを防止することができ、さらなる使用性の向上が図れるものである。
【００２２】
第１２の発明は、特に第１１の発明において、収納カバー体の入り口先端部に配設した軟質材は、連結管の先端部より少し突出して配設したことを特徴とするもので、吸込部材を連結管の先端部の外郭上部近傍あるいは下部近傍に位置させる方向に大きな力が加わっても、被掃除面に直接、連結管の先端部や収納カバー体の先端部が当たるのを防止し、被掃除面への傷つきを防止することができ、さらなる使用性の向上が図れるものである。
【００２３】
第１３の発明は、特に第１１または１２の発明において、収納カバー体は左右に分割された部材と操作機構を覆う操作機構カバー体とで構成され、左右の部材の固定手段として少なくとも操作機構カバー体の取付け部側は操作機構カバー体を左右部材とリブなどで結合させることにより、左右部材を固定することを特徴とするもので、収納カバー体外郭を形成するために必要な部品で外郭の固定の一部が行え、小型化、部品点数の削減、安価な構成が可能となるものである。
【００２４】
第１４の発明は、特に第１〜１３のいずれか一つの発明において、連結管の後端部に、接続管あるいは連通管の先端に接続可能な被接続部を設けたことを特徴とするもので、吸込具として１つのユニットにすることで、接続管あるいは連通管への接続をせんたくすることができるので掃除範囲が拡大し、さらなる使用性の向上が図れるものである。
【００２５】
第１５の発明は、吸引力を発生する電動送風機と前記電動送風機の吸気上流に配設され塵埃を捕集する集塵室を有する本体と、前記集塵室の吸気口部に接続される本体接続部を有する連通管などを有した電気掃除機本体に第１〜１４のいずれか一つの発明の吸込具を備えたもので、電気掃除機としての掃除範囲の拡大や使用性の向上、衛生的な掃除などが容易に行えるものである。
【００２６】
以下、本発明の実施の形態について、図面を参照しながら説明する。なお、この実施の形態によりこの発明が限定されるものではない。
【００２７】
（実施の形態１）
本発明の第１の実施の形態について、図１〜図７を用いて説明する。
【００２８】
１は前側に塵埃を集積する集塵袋２を配置した集塵室３、後方に塵埃吸引用のモ−タ−４などを有する本体下であり、前部の集塵袋２上方を覆う蓋体５で集塵室３を形成するとともに後部のモーター４などを配置した上方を本体上６で覆い、電気掃除機本体（以下、本体という）７を構成している。８は一端に本体７前部に構成した集塵室３に連通し、モーター４の吸引力による吸い込み通路を形成するフロントカバー９の吸気口１０に接続する接続パイプ１１を有するとともに他端に使用時に握って操作する把手１２を形成し、かつ、第１の接続管としての延長管１３を接続する第１の連結管としての先端パイプ１４を有するホースである。床面の塵埃を効率的に捕集する床用吸込具１５を第２の接続管としての吸込具管１５Ａを延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００２９】
先端パイプ１４の先端には延長管１３を取り外した時に使用できる吸込部材としての吸込具１８を構成している。前記吸込具１８は、下部略先端部に位置した回転軸１９によって一端にブラシ２０を植毛した吸込口としてのブラシホルダー２１を先端パイプ１４に接続した第２の連結管としての連結管Ａ２２に対して回動自在に枢支し、前記ブラシホルダー２１は、連結管Ａ２２の外郭上方の位置とブラシホルダー２１の他端を連結管Ａ２２の吸込口側の接続口Ａ２３に連通させて連通部２３Ａを形成し、連結管Ａ２２に対してブラシ２０が一定の角度αを有した位置との間を回動自在に構成している。
【００３０】
２４は、ブラシホルダー２１を吸込具１８の接続口Ａ２３に対して一定の角度αを有する方向に附勢するフックバネＡであり、ブラシカバー５０の側面と連結管Ａ２２の側面に設けたリブＡ５０ＡとリブＢ２２Ａが当接することによってブラシホルダー２１の回動角度（β）を規制している。この時、フックバネＡ２４の附勢力（弾性力）はブラシ２０の弾性力と同等もしくは小さく設定している。
【００３１】
また、角度βを約６０°に設定しており、ブラシ２０と被掃除面の角度（α）は約３０°となり、先端パイプ１４の把手１２と略平行となるようにしている。また、フックバネＡ２４の附勢力はブラシ２０の弾性力と同等もしくは小さく設定していることによりブラシ２０を被掃除面に押し付けることによってブラシホルダー２１を回動させるとともに連結管Ａ２２の外郭上方に位置させ、保持させることが出来る。
【００３２】
２５は延長管１３を連結管Ａ２２に接続した時に一端に設けた凸部Ａ２６が延長管１３の凹部Ａ２７に係合し、延長管１３を保持、固定する尾錠Ａであり、前記尾錠Ａ２５は他端に操作部である指で押さえる釦Ａ２８を形成するとともに軸Ａ２９によって回動自在に構成され、かつ、釦Ａ２８の略下部に圧縮バネＡ３０を配置し、圧縮バネＡ３０によって常に釦Ａ２８を上方に附勢、つまり、凸部Ａ２６を下方に附勢し、延長管１３の凹部Ａ２７に係合させる方向に力を加えている。
【００３３】
また、前記尾錠Ａ２５は軸Ａ２９と釦Ａ２８の間にブラシカバー５０側に傾斜面３１Ａを有する上方に突出した係合部Ａ３１を形成し、ブラシホルダー２１の連通部２３Ａ側に形成した被係合部Ａ３２に係合して図５に示すようにブラシホルダー２１を連結管Ａ２２の上方に保持、固定する。同様に吸込具１８も先端パイプ１４の接続口Ｂ３３部に設けられた凸部Ｂ３４と釦Ｂ３５を軸Ｂ３６で回動自在に構成した尾錠Ｂ３７を配置し、前記釦Ｂ３５の略下部に配置した圧縮バネＢ３８で凸部Ｂ３４を下方に常時附勢し、連結管Ａ２２の凹部Ｂ３９と係合させる方向に力を加えて先端パイプ１４に連結管Ａ２２を接続して吸込具１８を固定している。床用吸込具１５の吸込具管１５Ａと延長管１３の接続も同一の構成で構成されている。
【００３４】
次にブラシホルダー２１が連結管Ａ２２から回動してブラシ２０で構成される吸込口４０を突出させた状態で前記ブラシホルダー２１が一定角度以上、連結管Ａ２２の上方側に移動しないようにストッパーＡ４１が形成されている。前記ストッパーＡ４１は、連結管Ａ２２上方に設けた支軸Ａ４２によって連結管２２Ａに対して回動自在で且つ、支軸Ａ４２部分に設けられたフックバネＢ４３によって上方に附勢されており、反支軸Ａ４２にはブラシホルダー２１の後面に当接する凸形状で構成されたストッパー部４１Ａが形成され、ストッパー部４１Ａは支軸Ｂ４４、支軸Ｃ４５、支軸Ｄ４６を介して連結体Ａ４７、連結体Ｂ４８によって前記尾錠Ａ２５に形成された係合部Ａ３１に連結されている。
【００３５】
ストッパーＡ４１と連結体Ａ４７は支軸Ｂ４４によって回動自在に構成され、連結体Ａ４７と連結体Ｂ４８は連結体Ａ４７の連結体Ｂ４８側に形成された長穴４９内に取り付けた連結体Ｂ４８の連結体Ａ４７側に配置された支軸Ｃ４５が前記長穴４９内を摺動することによって摺動自在に構成されている。連結体Ｂ４８と係合部Ａ３１は支軸Ｄ４６によって回動自在に連結されて、尾錠Ａ２５の動作に連動してストッパー部４１Ａの位置が変化する。
【００３６】
また、５０はブラシホルダー２１が使用状態に回動した時に発生する連結管Ａ２２との間の隙間を覆ってブラシホルダー２１とともに連通部２３Ａを形成するブラシカバーであり、ブラシホルダー２１の回動中心であると回転軸１９で回動自在に構成され、ブラシホルダー２１の連通部２３Ａ側に形成された被係合部Ｂ５１、被係合部Ｃ５２と係合する係合部Ｂ５３を形成し、ブラシホルダー２１の回動とともに回動し、連結管Ａ２２からの吸引力を吸込口４０に伝える通路を形成する。
【００３７】
５４、５５はブラシホルダー２１が連結管Ａ２２上方に位置した時にブラシカバー５０とブラシホルダー２１を覆うように収納する外郭右、外郭左であり、ネジＡ５６、ネジＢ５７によって連結管Ａ２２に固定されている。また、外郭右５４、外郭左５５の先端略外周部には、エラストマー、軟質塩化ビニル、ゴム、起毛布などの軟質材を材料とするバンパー５８が図５に示すように突出代Ａを有して連結管Ａ２２の先端より突出して配設されている。ブラシホルダー２１が連結管Ａ２２上方に位置した時に外郭右５４、外郭左５５の先端部よりも突出代Ｂを有して若干、ブラシ２０先端部が突出した状態で保持されている。また、外郭右５４、外郭左５５の尾錠Ａ２５配置面には、外郭右５４、外郭左５５に設けた溝部右５９、溝部左６０と係合するリブＣ６１を形成した外郭上６２を配設して、外郭右５４、外郭左５５の上部の保持、固定を前記ネジＡ５６とともに行っている。
【００３８】
上記構成による作用は以下の通りである。
【００３９】
床面の掃除を行う時には、本体７の吸気口１０に接続パイプ１１を接続し、先端パイプ１４の接続口Ｂ３３に吸込具１８をまた、吸込具１８の連結管Ａ２２の接続口Ａ２３に延長管１３を接続し、延長管１３先端に床用吸込具１５の吸込具管１５Ａを接続して、先端パイプ１４の把手１２を握り、モーター４の吸引力によって床面上の塵埃を床用吸込具１５から吸込み、吸込具管１５Ａ、延長管１３、連結管Ａ２２、先端パイプ１４、ホース８、接続パイプ１１、吸気口１０を介して本体７の集塵室３に配置した集塵袋２内に集塵していく。
【００４０】
次に、ソファーや壁際、カーテン、テーブル上、また、床用吸込具１５が入らない隙間の掃除の時には、延長管１３を吸込具１８の連結管Ａ２２の接続口Ａ２３から外す。この時、尾錠Ａ２５の釦Ａ２８を押して延長管１３を吸込具１８の連結管Ａ２２の接続口Ａ２３から外すと図２に示すように先端パイプ１４の先端に接続した吸込具１８のブラシホルダー２１の被係合部Ａ３２と尾錠Ａ２５の係合部Ａ３１による係合が解除されることにより、連結管Ａ２２上方に位置していたブラシホルダー２１が被係合部Ｃ５２と係合部Ｂ５３が係合してブラシカバー５０とともにフックバネ２４Ａの附勢力によって接続口Ａ２３側に回動し、ブラシカバー５０側面に形成したリブＡ５０Ａが連結管Ａ２２の側面に形成したリブＢ２２Ａと当接してブラシ２０を配設したブラシホルダー２１が連結管Ａ２２に対して一定の角度αを有した状態で保持される。したがってこの状態ですぐ吸込具１８としてソファーや壁際などの掃除が可能になる。
【００４１】
また、フックバネＡ２４による附勢力によってブラシ２０が常に被掃除面側に附勢されていることにより、被掃除面への密着性が良く、塵埃の除去が効率的に行えるとともに、先端パイプ１４に対する被掃除面の角度が変わってもブラシ面が被掃除面に沿って回動することにより、把手１２の角度を変える必要がなく、使用性が向上し、かつ、掃除性能も向上するものである。
【００４２】
さらには、爪楊枝やボタン、小石などの重量のある塵埃がブラシ２０の通常の角度（本実施例でのβ）で吸わなくても、吸込具１８を被掃除面に押し付けてブラシ２０の角度を変えて、ブラシ２０先端から連結管Ａ２２の接続口Ａ２３の距離が短くなることにより、ブラシ２０部の真空圧が増大して吸込むことが可能となり、掃除実態にあった吸込み性の優れた吸込具１８を提供することができるものである。
【００４３】
また、ブラシ２０の角度βを６０°に設定していることにより、把手１２と略平行になるため、自然な姿勢で把手１２が移動でき、楽に掃除が行える。
【００４４】
さらには、ブラシ２０を被掃除面に押し付け過ぎた場合には、ブラシホルダー２１が連結管Ａ２２側に回動するが、一定の角度（本実施の形態では、図３に示す角度γで、６０°としている）でブラシホルダー２１の後面が連結管Ａ２２上部に配設されたストッパー部４１Ａに当接することによってそれ以上、連結管Ａ２２側に移動することを防止し、掃除動作を妨げること無く、良好に掃除が行える。
【００４５】
次に、ブラシ２０を配設したブラシホルダー２１を収納する時や、延長管１３を連結管Ａ２２に接続する時には、ブラシ２０の弾性力がフックバネＡ２４の附勢力（弾性力）と同等以上に設定していることから、ブラシ２０を被掃除面に押し付け、ブラシホルダー２１を回動させながら尾錠Ａ２５の釦Ａ２８を押えることにより尾錠Ａ２５の係合部Ａ３１が移動し、係合部Ａ３１に設けられた支軸Ｄ４６を支点として連結体Ｂ４８が回動しながら後方に移動し、連結体Ｂ４８に設けられた支軸Ｃ４５が連結体Ａ４７に設けられた長穴４９内を摺動し、長穴４９の連結体Ｂ４８側端面に当接して連結体Ａ４７を同様に後方に移動させる。連結体Ａ４７とストッパー部４１Ａを回動自在に連結した支軸Ｂ４４によってストッパー部４１Ａは後方に移動しようとするが、ストッパーＡ４１が支軸Ａ４２を支点として連結されているため、ストッパー部４１Ａは下方へ移動し、ストッパー部４１Ａとブラシホルダー２１の後面との当接が解除されてブラシホルダー２１が収納側に移動でき、ブラシホルダー２１の被係合部Ａ３２が尾錠Ａ２５の係合部Ａ３１の傾斜面３１Ａに誘われてその傾斜に沿って移動し、最終的には係合部Ａ３１に係合して、ブラシホルダー２１が連結管２２の上方に位置して保持され、連結管２２の接続口Ａ２３に延長管１３の被接続口１３Ａが容易に挿入が可能になり、接続できるものである。
【００４６】
また、ブラシホルダー２１が一定の角度βに位置した時にブラシホルダー２１と連結管２２との間に発生する隙間を覆うブラシカバー５０をブラシホルダー２１の回動中心である回転軸１９によって回動自在に構成して配設することにより、ブラシホルダー２１を大きくすること無く、連結管Ａ２２との間に連通部２３Ａを形成することができ、ブラシホルダー２１の回動角度βを大きくして掃除範囲を拡大しても小型の吸込具１８が提供できる。
【００４７】
したがってソファーや壁際などを掃除する時に使用する吸込具１８の取付け、取り外しをする必要がなく、また、塵埃を吸込んだ吸込具１８やブラシ２０に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００４８】
さらには、連結管Ａ２２にブラシホルダー２１を回動自在に取り付けてユニット化していることにより、本実施の形態で説明した先端パイプ１４の先端に吸込具１８を接続して用いる以外に延長管１３の先端に接続して用いることが出来、その使用範囲は著しく拡大し、使用性の向上が図れるものである。
【００４９】
なお、本実施の形態では、ブラシ付きの吸込具で説明したが、尾錠Ａ２５によるブラシホルダー２１の収納時の保持が可能な構成であれば、例えば吸込口先端を絞った隙間ノズル形態でも同様の効果が得られることは言うまでも無い。
【００５０】
また、同様に延長管１３の先端に本発明の吸込具を配置しても或いは、連通管Ａ２２ではなく延長管１３や先端パイプ１４の先端部分に吸込部材を配置しても同様の効果が得られることは言うまでも無い。
【００５１】
また、本発明の構成は本実施の形態に限定されるものでは無い。
【産業上の利用可能性】
【００５２】
以上のように、本発明にかかる吸込具は、先端パイプなどへの吸込具の着脱が吸込具に触れること無く、かつ、延長管などの着脱における動作、掃除動作の中で容易に行えるとともに吸込具の収納も行え、衛生的で使用性の向上が図れるとともに掃除性能の向上が図れるので非常に有効である。
【図面の簡単な説明】
【００５３】
【図１】本発明の実施の形態１を示す電気掃除機の全体斜視図
【図２】同吸込具の使用状態における要部断面図
【図３】同吸込具の使用状態での収納状態防止時における要部断面図
【図４】同吸込具の図３のａ部拡大図
【図５】同吸込具の収納状態における要部断面図
【図６】同吸込具の収納動作時における要部断面図
【図７】同吸込具の使用状態における要部斜視図
【符号の説明】
【００５４】
３    集塵室
４    モーター（電動送風機）
７    電気掃除機本体
８    ホース（連通管）
１１  接続パイプ（本体接続部）
１２  把手
１３  延長管（接続管）
１８  吸込具
２０  ブラシ（清掃用軟質材）
２１  ブラシホルダー（吸込部材）
２２  連結管Ａ（連結管）
２４  フックバネＡ（附勢手段）
２５  尾錠Ａ（操作機構）
２８  釦Ａ（解除手段操作部）
３１  係合部Ａ（係合手段）
４１  ストッパーＡ（収納防止手段）
４７  連結体Ａ（収納防止手段）
４８  連結体Ｂ（収納防止手段）
５０  ブラシカバー（カバー体）
５４  外郭右（収納カバー体）
５５  外郭左（収納カバー体）
６２  外郭上（収納カバー体）
【図１】
0004946727.tif 000002
【図２】
0004946727.tif 000003
【図３】
0004946727.tif 000004
【図４】
0004946727.tif 000005
【図５】
0004946727.tif 000006
【図６】
0004946727.tif 000007
【図７】
0004946727.tif 000008